(57)【要約】【課題】ストレージデバイスを高密度に実装可能なストレージ装置及び固定装置を提供する。【解決手段】複数のハードディスクドライブ２は、基板に第１の端部が装着され、直列方向に配置される。ファン４は、ハードディスクドライブ２に対して前記直列方向に風を送る。固定部材１は、前記直列方向に延び、ハードディスクドライブ２の第１の端部とは反対側の第２の端部に当接し、直列方向に並ぶ複数のハードディスクドライブ２のうち連続するいくつか又は全てを固定する。【選択図】図１
2014086123.tif 000002
【特許請求の範囲】
【請求項１】
基板と、
前記基板に第１の端部が装着され、直列に配置された複数のストレージデバイスと、
前記ストレージデバイスに対して直列方向に風を送る送風部と、
前記直列方向に延び、前記ストレージデバイスの前記第１の端部とは反対側の第２の端部に当接し、前記直列方向に並ぶ複数の前記ストレージデバイスのうち連続するいくつか又は全てを固定する固定部材と
を備えることを特徴とするストレージ装置。
【請求項２】
前記固定部材は、コの字型をしており、３辺のうちの真ん中の辺が前記第２の端部に接し、両側の辺の端部が前記基板に固定されていることを特徴とする請求項１に記載のストレージ装置。
【請求項３】
前記固定部材は、前記第２の端部が形成する面の前記直列方向の長さと一致する間隔で配置された前記第２の端部が挿入される突部を有することを特徴とする請求項１又は請求項２に記載のストレージ装置。
【請求項４】
前記突部は、前記第２の端部が挿入される開口部に向かって幅広となることを特徴とする請求項３に記載のストレージ装置。
【請求項５】
前記固定部材は、直列方向と直交する方向に、前記ストレージデバイスを挟むように前記基板に向けて延びる爪部を有することを特徴とする請求項１〜４のいずれか一つに記載のストレージ装置。
【請求項６】
前記基板に向かって向かい合った一対の前記爪部の間隔が、前記基板に向かって幅広となることを特徴とする請求項５に記載のストレージ装置。
【請求項７】
前記固定部材は、硬質材料で形成され、前記第２の端部と接する位置に振動吸収部材が設けられていることを特徴とする請求項１〜６のいずれか一つに記載のストレージ装置。
【請求項８】
前記直列方向と交差する方向に延び、前記固定部材を押さえつける棒状の固定板をさらに有することを特徴とする請求項１〜７のいずれか一つに記載のストレージ装置。
【請求項９】
前記固定板は複数あることを特徴とする請求項７に記載のストレージ装置。
【請求項１０】
前記固定板の間に隙間を埋める埋込部材を備えたことを特徴とする請求項９に記載のストレージ装置。
【請求項１１】
第１の端部が装着されて直列に基板に配置され、直列方向に向かう冷却風を受ける複数のストレージデバイスを固定する固定装置であって、
前記直列方向に延び、前記ストレージデバイスの前記第１の端部とは反対側の第２の端部に当接し、前記直列方向に並ぶ複数の前記ストレージデバイスのうち連続するいくつか又は全てを固定する
ことを特徴とする固定装置。
【発明の詳細な説明】
【技術分野】
【０００１】
本発明は、ストレージ装置及び固定装置に関する。
【背景技術】
【０００２】
従来、ストレージ装置として、ストレージデバイスである磁気ディスクを複数備えたディスクアレイ装置などが知られている。このようなストレージ装置では、磁気ディスクを容易に着脱すべく、磁気ディスク全体を覆うカセットケースを磁気ディスクに装着し、そのカセットケースをストレージ装置の筐体に固定するカセット構造が採用されることが多い。例えば、磁気ディスクの搭載方法として、携帯電話の例ではあるが、ハードディスクドライブと回路基板とを横に並べて収納したマウンティングブラケットを、筐体内に搭載する従来技術がある（例えば、特許文献１参照）。
【０００３】
さらに、ストレージ装置のように複数の磁気ディスクを備える装置は、磁気ディスクの稼動による温度上昇を抑えるため、磁気ディスクを冷却する機能を備えていることが一般的である。このような冷却機能を有するストレージ装置として、磁気ディスクを筐体の底面に対して直立させ二次元的に配置し、多数の磁気ディスクを搭載しつつ、冷却風の通路を確保する従来技術がある（例えば、特許文献２参照）。
【先行技術文献】
【特許文献】
【０００４】
【特許文献１】特開２００６−７９８１４号公報
【特許文献２】特開２００６−７３０４５号公報
【発明の概要】
【発明が解決しようとする課題】
【０００５】
しかしながら、カセット構造を採用した場合、磁気ディスクの外側をカセットケースが覆うため、そのサイズは磁気ディスクのサイズを全体的に大きくしたものとなる。そのため、カセットケースを装着された磁気ディスクを並べた場合、カセットケースの厚み分磁気ディスクを近接することができなくなる。また、カセット構造を有する磁気ディスクを高密度に実装すると、磁気ディスク間のスペースが狭くなり、冷却風の流通が妨げられてしまう。この結果、適切な冷却効果を得ることが困難となる。そのため、カセット構造を採用した場合、近年の磁気ディスクの高密度実装という要望に応えることが困難となる。これは、ハードディスクドライブと回路基板とが横に並ぶマウンティングブラケットを採用する従来技術でも同様である。
【０００６】
また、磁気ディスクを筐体の底面に対して直立させ二次元的に配置する従来技術でも、ハードディスクドライブは、スロットに差し込まれて固定されるものであり、カセット構造と基本的には同じ構造を有するので、同様に高密度実装という要望に応えることは困難である。
【０００７】
さらに、カセット構造を用いずに単に磁気ディスクを密に並べただけでは、磁気ディスクが近接している場合、個々の磁気ディスクが発生する振動が周囲の他の磁気ディスクに影響を与え、リードライト時にエラーを生じさせるおそれがある。
【０００８】
開示の技術は、上記に鑑みてなされたものであって、ストレージデバイスを高密度に実装できるストレージ装置及び固定装置を提供することを目的とする。
【課題を解決するための手段】
【０００９】
本願の開示するストレージ装置及び固定装置は、一つの態様において、基板と、前記基板に第１の端部が装着され、直列に配置された複数のストレージデバイスと、前記ストレージデバイスに対して直列方向に風を送る送風部と、前記直列方向に延び、前記ストレージデバイスの前記第１の端部とは反対側の第２の端部に当接し、前記直列方向に並ぶ複数の前記ストレージデバイスのうち連続するいくつか又は全てを固定する固定部材とを備える。
【発明の効果】
【００１０】
本願の開示するストレージ装置及び固定装置の一つの態様によれば、ストレージデバイスを高密度に実装することができるという効果を奏する。
【図面の簡単な説明】
【００１１】
【図１】図１は、実施例１のストレージ装置の概略構成を示す斜視図である。
【図２】図２は、実施例１における基板に固定されたハードディスクドライブを平面視した概略図である。
【図３】図３は、実施例１における基板に固定されたハードディスクドライブを短手方向から見た側面図である。
【図４】図４は、実施例１における基板に固定されたハードディスクドライブを長手方向から見た側面図である。
【図５】図５は、固定部材の基板への固定を説明するための斜視図である。
【図６】図６は、図５におけるＡ−Ａ断面図である。
【図７】図７は、図５におけるＢ−Ｂ断面図である。
【図８】図８は、冷却風の流れを説明するための平面図である。
【図９】図９は、ＨＤＤの冷却効果を説明するための図である。
【図１０】図１０は、実施例２のストレージ装置の概略構成を示す斜視図である。
【図１１】図１１は、実施例２における基板に固定されたハードディスクドライブを平面視した概略図である。
【図１２】図１２は、実施例２における基板に固定されたハードディスクドライブを短手方向から見た側面図である。
【図１３Ａ】図１３Ａは、固定部材及び固定板を用いない場合のＨＤＤの振動を表す図である。
【図１３Ｂ】図１３Ｂは、固定部材及び固定板を用いた場合のＨＤＤの振動を表す図である。
【図１４】図１４は、実施例２に係るストレージ装置における空気の流れの様子を示す図である。
【図１５】図１５は、実施例２の変形例における基板に固定されたハードディスクドライブを短手方向から見た側面図である。
【発明を実施するための形態】
【００１２】
以下に、本願の開示するストレージ装置及び固定装置の実施例を図面に基づいて詳細に説明する。なお、以下の実施例により本願の開示するストレージ装置及び固定装置が限定されるものではない。特に以下の説明では、ストレージデバイスとしてハードディスクドライブを例に説明するが、これに限らず、データを格納するものであれば他のものでもよい。
【実施例１】
【００１３】
図１は、実施例１のストレージ装置の概略構成を示す斜視図である。図２は、実施例１における基板に固定されたハードディスクドライブを平面視した概略図である。図３は、実施例１における基板に固定されたハードディスクドライブを短手方向から見た側面図である。図４は、実施例１における基板に固定されたハードディスクドライブを長手方向から見た側面図である。
【００１４】
図１に示すように、本実施例に係るストレージ装置は、筐体５を有している。筐体５は、例えば、Ｚ方向の上面を有する筐体蓋部と、Ｚ方向の上面以外の面を有する筐体本体部に分かれており、筐体蓋部と筐体本体部は固定具等で固定される。
【００１５】
筐体５の内部には、基板３が配置される。基板３上には、直方体のハードディスクドライブ（Hard  Disk  Drive:ＨＤＤ）２が装着されている。例えば、ＨＤＤ２の端部である１つの側面に基板３に接続するためのインタフェース（不図示）が設けられており、そのインタフェースを基板３のコネクタ（不図示）に差し込むことでＨＤＤ２は基板３に装着される。この基板３に接するＨＤＤ２の端部が、「第１の端部」の一例にあたる。そして、ＨＤＤ２は、基板３に接続した端部の逆側の端部の側面（以下では、「上側面」という。）が形成する四角形の長手方向が一致するように直列に並んでいる。この上側面が、「第２の端部」の一例にあたる。また、ＨＤＤ２は、上側面が形成する四角形の短手方向が一致するように直列に並んでいる。この上側面が形成する四角形の長手方向を、図１では、矢印Ｙで表すＹ方向としている。すなわち、図１及び図２に示すように、複数のＨＤＤ２が、上側面の長手方向がＹ方向に一致するように一列に並んでいる。この上側面が形成する四角形の短手方向を、図１では、矢印Ｘで表すＸ方向としている。すなわち、図１及び図２に示すように、複数のＨＤＤ２が、上側面の短手方向がＸ方向に一致するように一列に並んでいる。また、図１では、基板３からＨＤＤ２が直立する方向を矢印Ｚで表すＺ方向としている。ここで、図１及び図２では、Ｘ方向に９つ、Ｙ方向に４つＨＤＤ２が並んでいる状態を図示しているが、Ｙ方向に複数のＨＤＤ２が並んでいればＨＤＤ２の数に特に制限は無い。
【００１６】
基板３は、コネクタに装着された各ＨＤＤ２と外部の装置とを接続する配線を有している（不図示）。
【００１７】
ＨＤＤ２は、内部に磁気ディスクを備えたストレージデバイスである。ここで、ＨＤＤ２は、ストレージデバイスの一例である。ＨＤＤ２の内部の磁気ディスクは、基板３に対して立設した状態で実装させる。
【００１８】
また、ストレージ装置の筐体５の中には、ファン４が搭載されている。図１及び図２では、ファン４は３台搭載されている状態を表しているが、ファン４の数に特に制限は無い。ファン４は、外部から吸い込んだ空気を、ＨＤＤ２の上側面が形成する四角形の長手方向、すなわちＹ方向に向けて送風するように配置されている。このファン４が、「送風部」の一例にあたる。
【００１９】
さらに、ＨＤＤ２は、固定部材１で固定されている。固定部材１は、ＨＤＤ２の上側面が形成する四角形の長手方向、すなわちＹ方向に向けて延びている。本実施例では、１つの固定部材１で、上側面が形成する四角形の長手方向、すなわちＹ方向に一列に並ぶ４つのＨＤＤ２の全てが固定されている。そして、固定部材１は、Ｙ方向に並ぶＨＤＤ２の列毎に１つずつ配置されている。
【００２０】
次に、固定部材１のより詳細な構成を説明する。固定部材１は、図３に示すように、大まかに言えば、Ｙ方向の両端のＨＤＤ２のＺ方向の面と平行して延びる２辺である２本の柱１０２及び柱１０３とその２本の柱を結び一列に並ぶ各ＨＤＤ２の上側面と当接しながら延びる間の押込部材１０１とを有する。言い換えれば、固定部材１は、押込部材１０１と柱１０２及び柱１０３とを各辺とするコの字型をしている。押込部材１０１、柱１０２及び柱１０３は、金属等の硬質材料で形成されている。例えば、押込部材１０１、柱１０２及び柱１０３は、ステンレス、亜鉛又は銅などの鋼板等で形成される。
【００２１】
押込部材１０１には、ＨＤＤ２の上側面が挿入されるように、上側面の長手方向の長さと一致する間隔で突部１１が設けられている。ＨＤＤ２が突部１１の間に挿入されることで、突部１１は、ＨＤＤ２を挟持して固定することで、ＨＤＤ２のＹ方向への移動を抑制する。そして、ＨＤＤ２が挿入される側と逆側の各突部１１同士の間は間隔が設けられている。ＨＤＤ２が挿入される側と逆側の突部１１同士の間隔は、ＨＤＤ２を冷却するのに適切な間隔となっており、５ｍｍ以上であることが好ましい。ここで、本実施例では、図３に示すように、柱１０２とＨＤＤ２との間に突部１１Ａ、柱１０３とＨＤＤ２との間に突部１１Ｂが設けられているが、これを設けず、直接に柱１０２及び柱１０３をＨＤＤ２のＸ方向への固定具として用いてもよい。
【００２２】
さらに、押込部材１０１には、押込部材１０１とＨＤＤ２の上側面との間に振動吸収部材１３が配置されている。振動吸収部材１３は、例えば、樹脂等を材質とすることが好ましい。
【００２３】
さらに、押込部材１０１は、押込部材１０１が延びる方向であるＹ方向と直交する方向、すなわちＸ方向に爪部１２が設けられている。図４に示すように、爪部１２は、ＨＤＤ２のＸ方向の両側を挟み込むように設けられている。また、爪部１２は、ＨＤＤ２が挿入し易いように、基板３に向かうに従い向かい合っている爪部１２同士の間隔が開いている。爪部１２は、ＨＤＤ２を挟持して固定することで、ＨＤＤ２のＸ方向への移動を抑制する。そして、本実施例では、爪部１２は、図３に示すように、１つのＨＤＤ２に対して２箇所設けられている。ただし、爪部１２の数はこれに限らず、ＨＤＤ２のＸ方向への移動を抑制できれば、１つのＨＤＤ２に対して１箇所でも又は３箇所以上でもよい。
【００２４】
柱１０２及び柱１０３は、基板３上に固定されている。図５は、固定部材の基板への固定を説明するための斜視図である。具体的には、図５は、柱１０２が基板３へ固定されている部分を拡大した図である。図５に示すように、本実施例において、柱１０２は、バネ製の固定金具１５により基板３に固定されている。
【００２５】
固定金具１５は、柱１０２を挿入する空間を有するように配置された４枚の板状部材１５１〜１５４から構成されている。固定金具１５の４枚の板状部材１５１〜１５４は、２枚ずつが向き合うように配置されている。すなわち、板状部材１５１と板状部材１５２とが向き合い、板状部材１５３と板状部材１５４とが向き合っている。さらに、固定金具１５は、全体的な形状として、基板３から離れるにしたがい向かい合う板状部材１５１〜１５４の間隔が大きくなるように、各板状部材１５１〜１５４が傾斜を有するように形成されている。板状部材１５１〜１５４は傾斜によって、板バネの機能を有する。加えて、局所的な形状として、各板状部材１５１〜１５４は、柱１０２が挿入され易いように開口部近傍で外側に広がっていることが好ましい。固定金具１５は、板状部材１５１〜１５４の間に柱１０２が挿入されることで板状部材１５１〜１５４が外側に押し広げられ、その押圧に対する板状部材１５１〜１５４の反発力で柱１０２を固定する。このように、柱１０２の四方を板状部材１５１〜１５４で囲むことで、柱１０２が傾くことも抑制できる。
【００２６】
さらに、本実施例では、図６に示すように、板状部材１５１に切欠１５５を有している。図６は、図５におけるＡ−Ａ断面図である。一方、板状部材１５２は、切欠を有さない。また、図７に示すように、板状部材１５３及び板状部材１５４はいずれも切欠を有さない。図７は、図５におけるＢ−Ｂ断面図である。そして、柱１０２には、図６に示すように、切欠１５５に対応する位置に固定爪１２１を有している。固定金具１５に柱１０２が挿入されると、柱１０２の固定爪１２１と固定金具１５の切欠１５５とが嵌合し、柱１０２が基板３から離れる方向に移動することを抑制する。これにより、柱１０２は基板３に固定される。そして、固定部材１を基板３からはずすときには、板状部材１５１を柱１０２から離れる方向Ｐに引き、切欠１５５と固定爪１２１の嵌合を解除した後、柱１０２を固定金具１５から引き抜く。これにより、固定部材１を基板３からはずすことができる。このように、柱１０２を固定金具１５へ押し込むことで、固定部材１を基板３へ固定でき、また、板状部材１５１を引きながら固定金具１５から固定部材１を引き抜くことで基板３からはずすことができるので、固定部材１の着脱が容易に行える。
【００２７】
ここでは、柱１０２を例に説明したが、柱１０３も同様な機構により基板３に固定されている。
【００２８】
ここで、本実施例では柱１０２の基板３に対してより確実に固定するために、切欠１５５及び固定爪１２１を用いたが、固定金具１５の板バネの弾性力で柱１０２を十分に固定できれば、切欠１５５及び固定爪１２１を用いなくてもよい。また、より確実に固定したい場合には、板状部材１５２〜１５４にも切欠１５５を設け、それに対応する柱１０２の位置に固定爪１２１を設けてもよい。さらに、本実施例では、固定部材１の柱１０２及び柱１０３の固定方法として、固定部材１の着脱の容易さなども考慮して、バネ製の固定金具１５を用いたが、固定部材１が基板３に固定できれば他の方法でもよい。例えば、固定部材１を基板３にねじで固定してもよい。
【００２９】
このように、固定部材１が基板３に固定され、その固定部材１によりＨＤＤ２が基板に押さえつけられることで、ＨＤＤ２が基板３から抜けなくなる。そして、ＨＤＤ２は、固定部材１の突部１１によりＹ方向への移動が抑制され、爪部１２によりＸ方向への移動が抑制されるので、ディスクの回転等で発生する振動によってもずれることなく基板３上に固定される。
【００３０】
さらに、図８を参照して、ファン４によるＨＤＤ２に対する冷却風の流れを説明する。図８は、冷却風の流れを説明するための平面図である。ファン４からの冷却風は矢印Ｗで表されるようにＹ方向に向けてＨＤＤ２の間を流れる。これに対して、固定部材１は、ＨＤＤ２の上側面の長手方向であるＹ方向に延びて各ＨＤＤ２を固定している。そして、固定部材１は、Ｙ方向の両側に起立する柱によって基板３に固定されている。このように本実施例に係る固定部材１は、カセット構造を採用していない。そのため、固定部材１において、ＨＤＤ２を固定するためのジグは、Ｘ方向に並ぶＨＤＤ２の間には存在しない。すなわち、Ｘ方向に並ぶＨＤＤ２の間には、冷却風に対する障害物が存在しておらず、冷却風が通過し易い状態となっている。そこで、ＨＤＤ２のＸ方向の間隔を短くしても、冷却風は、流れを妨げられずに図８の矢印ＷのようにＨＤＤ２の間を通って流れていく。そのため、ファン４からの冷却風により効率よくＨＤＤ２を冷却することができ、ＨＤＤ２をＸ方向に高密度に配置することができる。
【００３１】
図９は、ＨＤＤの冷却効果を説明するための図である。図９の縦軸はＨＤＤ最高温度を表し、横軸はストレージ装置の状態を表している。
【００３２】
図９のグラフ２０１が、固定部材１などを設けない従来のストレージ装置のＨＤＤの最高温度を表している。また、図９のグラフ２０２は、固定部材１を設けた実施例１に係るストレージ装置のＨＤＤの最高温度を表している。さらに、図９のグラフ２０３は、次に説明する実施例２のストレージ装置に関するグラフであり、グラフ２０３については実施例２で説明する。
【００３３】
固定部材１などを使用せず、例えばカセットケースを用いてハードディスクを固定した場合、グラフ２０１に示すように、ＨＤＤ２の最高温度は、１０５℃程度になっている。これに対して、固定部材１を用いた場合、グラフ２０２に示すように、ＨＤＤ２の最高温度は、９０℃程度となっている。このように、固定部材１を用いた場合には、冷却風を妨げることなくＨＤＤ２の間を通すことができるので、ＨＤＤ２を効率的に冷却することができる。
【００３４】
ここで、以上では、固定部材１が、Ｙ方向に一列に並んだ全てのＨＤＤ２を固定する場合で説明したが、固定するＨＤＤ２の数に特に制限は無い。すなわち、固定部材１は、一列に並んだＨＤＤ２のうちのいくつかをまとめて固定してもよい。例えば、図１のようにＨＤＤ２が並んでいるのであれば、１つの固定部材１により、一列に並ぶ４つのＨＤＤ２のうちファン４に近いほうから２つをまとめて固定し、残りの２つを他の固定部材１によりまとめて固定するなどとしてもよい。特に、筐体５の形状によっては、固定するＨＤＤ２の数を調整することが好ましい場合も考えられる。
【００３５】
以上に説明したように、本実施例に係るストレージ装置は、ＨＤＤが上側面の長手方向に沿って並び、上側面に当接しながら長手方向に延びる固定部材によって並んでいる複数のＨＤＤがまとめて固定される。これにより、ＨＤＤは上側面の長手方向及び短手方向にいずれの方向にも密に並べることができる。そして、固定部材が延びる方向はファンからの冷却風が流れる方向であるので、冷却風が妨げられることなく流れ、適切にＨＤＤを冷却することができ、ＨＤＤを上側面のＸ方向に密に並べても温度上昇を確実に抑えることができる。具体的には、ＨＤＤの間隔を数ミリ程度まで接近させることができる。
【００３６】
また、固定部材によりＨＤＤを固定することで、振動を抑制し、ハードディスクを正常に稼動することができる。
【００３７】
また、本実施例のように、基板への固定金具をバネ製とすることで、固定部材の固定にねじを用いないので、製品の作成及びメンテナンスを容易に行うことができる。
【実施例２】
【００３８】
図１０は、実施例２に係るストレージ装置の概略構成を示す斜視図である。図１１は、実施例２における基板に固定されたハードディスクドライブを平面視した概略図である。図１２は、実施例２における基板に固定されたハードディスクドライブを短手方向から見た側面図である。
【００３９】
図１０に示すように、本実施例に係るストレージ装置は、固定板６を有することが実施例１と異なるものである。そこで、以下では、主に固定板６について説明する。また、図１０の各部については、特に説明の無い限り、図１と同じ符号を有するものは同じ機能を有するものとする。
【００４０】
本実施例に係るストレージ装置は、筐体５と固定部材１との間に、固定部材１を押圧する固定板６を有している。固定板６は、図１０及び図１１に示すように、固定部材１と直交する方向、すなわち、Ｘ方向に延びている。ここで、本実施例では、固定板６が固定部材１と直交する方向としたが、固定板６は、固定部材１と直行する方向から少しずれていてもよい。
【００４１】
また、固定板６は、金属等の硬質材質で形成されている。例えば、固定板６は、ステンレス、亜鉛又は銅などの鋼板等で形成される。
【００４２】
そして、本実施例では、固定板６は、各ＨＤＤ２の固定部材１の押さえを補強するために、Ｘ方向に並ぶＨＤＤ２の列毎に１つずつ設けられている。ただし、固定板６の数はこれに限らず、Ｘ方向に並ぶＨＤＤ２の列毎に複数ずつ設けられてもよいし、列の間に設けてもよい。
【００４３】
そして、図１２に示すように、固定板６は、一旦が筐体５の上面に接しており、他端が固定部材１に接している。そして、固定板６と筐体５との間及び固定板６と固定部材１との間には、振動吸収部材（不図示）が配置されてもよい。振動吸収部材は、例えば、樹脂等のゴム状の材料から形成されている。また、固定板６は、例えば、筐体５が、Ｚ方向の上面を有する筐体蓋部と、Ｚ方向の上面以外の面を有する筐体本体部に分かれている場合には、筐体蓋部の筐体内部に位置する面に固定されていてもよい。
【００４４】
このように、筐体５と固定部材１との間に挟まれることで、固定板６は、固定部材１によるＨＤＤ２のＺ方向へのずれの抑制を補強している。すなわち、例え固定部材１に対して基板３から外れる方向への力がＨＤＤ２から働いた場合でも、筐体５に押えられた固定板６が固定部材１を押えているため、固定部材１は基板３から外れる方向に移動せず、ＨＤＤ２を押さえ続けることができる。
【００４５】
そして、固定板６が固定部材１を基板３へ押し付けることで、ＨＤＤ２の振動をより効果的に抑えることができる。図１３Ａは、固定部材及び固定板を用いない場合のＨＤＤの振動を表す図である。また、図１３Ｂは、固定部材及び固定板を用いた場合のＨＤＤの振動を表す図である。図１３Ａ及び図１３Ｂは、縦軸をＨＤＤ２の振動を回転方向の振動であらわした値としている。この単位をここでは、「ＲＶ」と表す。また、図１３Ａ及び図１３Ｂは、横軸を周波数としている。具体的には、Ｓｅａｇａｔｅ社推奨のＨＤＤ振動評価方法を用いている。
【００４６】
図１３Ａに示すように、固定部材１及び固定板６を用いない場合、１００〜２００Ｈｚ付近の領域３０１で１ＲＶ程度となっており、１０００〜１２００Ｈｚ付近の領域３０２で０．０３ＲＶ程度となっている。これに対して、図１３Ｂに示すように、固定部材１及び固定板６を用いた場合、１００〜２００Ｈｚ付近の領域３１１で０．０２ＲＶ程度となっており、１０００〜１２００Ｈｚ付近の領域３１２で０．０１ＲＶ程度となっている。このように、固定部材１及び固定板６により、特定の周波数において発生していた大きな振動を抑制することができる。
【００４７】
図１４は、実施例２に係るストレージ装置における空気の流れの様子を示す図である。実施例１で説明したように、Ｘ方向に並ぶＨＤＤ２同士の間には冷却風に対する障害物が存在していないため、冷却風がＨＤＤ２の間を通過し易くなっている。ただし、ＨＤＤ２の間隔が狭まってくると、冷却風はより広い空間が広がる方向、具体的には、基板３から離れる方向に流れようとする。ファン４による冷却風がＨＤＤ２からそれると、ファン４から離れる方向に向かうにしたがい、冷却風による冷却効果が損なわれる。冷却風のこのような性質に対して、固定板６は、冷却風の経路を変更する機能を発揮する。固定板６は、ＨＤＤ２の基板３と逆側の面に当接して配置されている。このため、図１４に示すように、広い空間である筐体５の上部へ逃げようとする冷却風が、矢印Ｗ１で示す流れのように、ＨＤＤ２の間へ戻される。このように、筐体５の上部に向かった冷却風がＨＤＤ２の間へ戻されるため、冷却風によるＨＤＤ２の冷却が効率よく行われ、ストレージ装置の冷却機能を高めることができる。すなわち、実施例２のように、固定板６によって固定部材１を押さえることで、ＨＤＤ２が高密度で実装された場合であっても、冷却風を効率よく流すことができる。
【００４８】
このように、固定板６により冷却風を効率よく流すことができるので、実施例１の場合と比較してよりＨＤＤ２の冷却を促進することができる。例えば、図９のグラフ２０３に示すように、固定部材１及び固定板６を設けたストレージ装置の場合、ＨＤＤ２の最高温度を７０℃以下に抑えることができる。このように、グラフ２０１で示される従来の場合やグラフ２０２で示される固定部材１のみの場合に比べて、固定部材１及び固定板６を用いた場合、冷却効率が向上されていることが分かる。
【００４９】
以上に説明したように、本実施例に係るストレージ装置は、固定部材と直交する方向に延びる固定板が、固定部材と筐体との間に配置されている。そして、固定板により固定部材が押圧されているので、ＨＤＤの固定がより強固になっている。これにより、ＨＤＤの駆動時の振動が、実施例１の場合と比較してより抑えられている。さらに、固定板により冷却風を効率よく流すことができるので、よりＨＤＤの冷却効率をあげることができ、ＨＤＤを高密度に実装することが可能となる。
【００５０】
また、固定板６の間の隙間を生める埋込部材を固定板６同士の間に挿入しても良い。このように、固定板６同士の隙間を埋めることで、冷却風の上部への移動を確実に抑制することができ、より冷却効率を高めることができる。この埋込部材は、例えば、ウレタンなどで形成される。
【００５１】
（変形例）
図１５は、実施例２の変形例における基板に固定されたハードディスクドライブを短手方向から見た側面図である。本変形例に係るストレージ装置は、固定板６の形状が実施例２と異なるものである。
【００５２】
図１５に示すように、本変形例に係る固定板６は、基板に向かって細くなっていくように、固定部材１が延びる方向であるＹ方向に傾斜を有する斜面を持つ。言い換えれば、固定板６は、Ｚ−Ｙ平面における断面が基板に向かって細くなる台形となっている。とくに、本変形例では、固定板６のＺ−Ｙ平面における断面は等脚台形となっている。ただし、固定板６の傾斜は後述するように、冷却風の流れを最適にするように決定されることが好ましい。
【００５３】
固定板６に斜面を設けることで、固定板６の斜面にあたった冷却風は、図１５の矢印Ｗ２に示す流れのように、固定板６の斜面に沿って流れ、確実にＨＤＤ２の間に戻されることになる。
【００５４】
このように、固定板に傾斜を設けることで、冷却風をより確実にＨＤＤの間に戻すことができ、冷却風によるＨＤＤの冷却効率を向上させることができる。
【００５５】
以上の各実施例を含む実施形態に関し、さらに以下の付記を開示する。
【００５６】
（付記１）基板と、
前記基板に第１の端部が装着され、直列に配置された複数のストレージデバイスと、
前記ストレージデバイスに対して直列方向に風を送る送風部と、
前記直列方向に延び、前記ストレージデバイスの前記第１の端部とは反対側の第２の端部に当接し、前記直列方向に並ぶ複数の前記ストレージデバイスのうち連続するいくつか又は全てを固定する固定部材と
を備えることを特徴とするストレージ装置。
【００５７】
（付記２）前記固定部材は、コの字型をしており、３辺のうちの真ん中の辺が前記第２の端部に接し、両側の辺の端部が前記基板に固定されていることを特徴とする付記１に記載のストレージ装置。
【００５８】
（付記３）前記固定部材は、前記第２の端部が形成する面の前記直列方向の長さと一致する間隔で配置された前記第２の端部が挿入される突部を有することを特徴とする付記１又は付記２に記載のストレージ装置。
【００５９】
（付記４）前記突部は、前記第２の端部が挿入される開口部に向かって幅広となることを特徴とする付記３に記載のストレージ装置。
【００６０】
（付記５）前記固定部材は、直列方向と直交する方向に、前記ストレージデバイスを挟むように前記基板に向けて延びる爪部を有することを特徴とする付記１〜４のいずれか一つに記載のストレージ装置。
【００６１】
（付記６）前記基板に向かって向かい合った一対の前記爪部の間隔が、前記基板に向かって幅広となることを特徴とする付記５に記載のストレージ装置。
【００６２】
（付記７）前記固定部材は、硬質材料で形成され、前記第２の端部と接する位置に振動吸収部材が設けられていることを特徴とする付記１〜６のいずれか一つに記載のストレージ装置。
【００６３】
（付記８）前記直列方向と交差する方向に延び、前記固定部材を押さえつける棒状の固定板をさらに有することを特徴とする付記１〜７のいずれか一つに記載のストレージ装置。
【００６４】
（付記９）前記固定板は複数あることを特徴とする付記７に記載のストレージ装置。
【００６５】
（付記１０）前記固定板の間に隙間を埋める埋込部材を備えたことを特徴とする付記９に記載のストレージ装置。
【００６６】
（付記１１）第１の端部が装着されて直列に基板に配置され、直列方向に向かう冷却風を受ける複数のストレージデバイスを固定する固定装置であって、
前記直列方向に延び、前記ストレージデバイスの前記第１の端部とは反対側の第２の端部に当接し、前記直列方向に並ぶ複数の前記ストレージデバイスのうち連続するいくつか又は全てを固定する
ことを特徴とする固定装置。
【００６７】
（付記１２）基板と、
第１の側面を接地面として前記基板に装着され、前記第１の側面とは逆側の第２の側面の長手方向に一列に並んだ複数の箱型のストレージデバイスと、
前記ストレージデバイスに対して前記長手方向に風を送る送風部と、
前記長手方向に延び、複数の前記ストレージデバイスのうち前記長手方向に連続するいくつか又は全てを固定する固定部材と
を備えることを特徴とするストレージ装置。
【符号の説明】
【００６８】
１  固定部材
２  ハードディスクドライブ（ＨＤＤ）
３  基板
４  ファン
５  筐体
６  固定板
１１  突部
１２  爪部
１３  振動吸収部材
１５  固定金具
１０１  押込部材
１０２，１０３  柱
【図１】
2014086123.tif 000003
【図２】
2014086123.tif 000004
【図３】
2014086123.tif 000005
【図４】
2014086123.tif 000006
【図５】
2014086123.tif 000007
【図６】
2014086123.tif 000008
【図７】
2014086123.tif 000009
【図８】
2014086123.tif 000010
【図９】
2014086123.tif 000011
【図１０】
2014086123.tif 000012
【図１１】
2014086123.tif 000013
【図１２】
2014086123.tif 000014
【図１３Ａ】
2014086123.tif 000015
【図１３Ｂ】
2014086123.tif 000016
【図１４】
2014086123.tif 000017
【図１５】
2014086123.tif 000018